(57)【要約】【課題】  画質を低下させることなく、騒音を低減する。【解決手段】  第２の開閉ドア１８は、第２の開閉ドア本体１１０、吸音部材１１２及び吸音部材カバー１１４を有する。吸音部材１１２は、第２の開閉ドア本体１１０のガイド部材２０側の略全面を覆っている。吸音部材カバー１１４は、黒色に染められ、帯電防止加工された通気性を有する布材であり、吸音部材１１２のガイド部材２０側の略全面を覆うことができるようにされている。また、吸音部材カバー１１４は、炭素を含まない染料によって染められることにより、画像形成装置内の遮光効果を維持しつつ、炭素を含んだ繊維を画像形成装置１０内に浮遊させないようにされている。第２の開閉ドア１８は、ガイド部材２０の背面に取り付けられることにより、レジストロール３１及び搬送ロール３２の背面側を含む搬送路２８の背面側に配置されるようになっている。【選択図】          図７
2006047569.tif 000002
【特許請求の範囲】
【請求項１】
帯電した現像剤像を担持する像担持体と、この像担持体を収容する画像形成装置本体とを具備する画像形成装置であって、前記画像形成装置本体内のノイズ源を前記画像形成装置本体外側に対して遮蔽する吸音部を有し、前記吸音部は、染料によって暗色に染められていることを特徴とする画像形成装置。
【請求項２】
前記染料は、炭素繊維を含まないことを特徴とする請求項１記載の画像形成装置。
【請求項３】
前記吸音部は、黒色に染められていることを特徴とする請求項１又は２記載の画像形成装置。
【請求項４】
前記吸音部は、記録媒体を搬送する搬送路に臨む開閉ドアの内側に設けられていることを特徴とする請求項１乃至３いずれか記載の画像形成装置。
【請求項５】
前記開閉ドアは、ガイド部材を介して前記搬送路に臨んでいることを特徴とする請求項４記載の画像形成装置。
【請求項６】
前記吸音部は、前記画像形成装置本体と前記ガイド部材との間に形成された空隙を覆うように設けられていることを特徴とする請求項５記載の画像形成装置。
【請求項７】
帯電した現像剤像を担持する像担持体と、この像担持体を収容する画像形成装置本体とを具備する画像形成装置であって、前記画像形成装置本体内のノイズ源を前記画像形成装置本体外側に対して遮蔽する吸音部材と、この吸音部材を覆う吸音部材カバーとを有し、前記吸音部材カバーは、染料によって暗色に染められていることを特徴とする画像形成装置。
【請求項８】
帯電した現像剤像を担持する像担持体と、この像担持体を収容する画像形成装置本体とを具備する画像形成装置であって、前記画像形成装置本体内のノイズ源を前記画像形成装置本体外側に対して遮蔽する繊維状の吸音部材と、この吸音部材を覆う布状の吸音部材カバーとを有し、前記吸音部材カバーは、炭素を含まない染料によって暗色に染められていることを特徴とする画像形成装置。
【請求項９】
前記染料は、炭素繊維を含まないことを特徴とする請求項７又は８記載の画像形成装置。
【請求項１０】
前記吸音部材カバーは、黒色に染められていることを特徴とする請求項７乃至９いずれか記載の画像形成装置。
【請求項１１】
前記吸音部材及び前記吸音部材カバーは、記録媒体を搬送する搬送路に臨む開閉ドアの内側に設けられていることを特徴とする請求項７乃至１０いずれか記載の画像形成装置。
【請求項１２】
前記開閉ドアは、ガイド部材を介して前記搬送路に臨んでいることを特徴とする請求項１１記載の画像形成装置。
【請求項１３】
前記吸音部材及び前記吸音部材カバーは、前記画像形成装置本体と前記ガイド部材との間に形成された空隙を覆うように設けられていることを特徴とする請求項１２記載の画像形成装置。
【発明の詳細な説明】
【技術分野】
【０００１】
本発明は、プリンタ、複写機又はファクシミリ等の画像形成装置に関するものである。
【背景技術】
【０００２】
例えば電子写真方式の画像形成装置を稼動させると、装置の稼動に伴う騒音（ノイズ）が発生してしまう。画像形成装置の騒音には、例えば画像を転写される記録媒体が搬送される時に発生する摺擦音などが含まれる。
この種の画像形成装置において、装置を囲む外筐体の内面に、可聴領域で吸音機能を有するポリエステル繊維などの繊維状の吸音材を貼付し、騒音が画像形成装置外に漏れ出ないようにすることは公知である（特許文献１参照）。
【０００３】
【特許文献１】特開２００２−３６５９８５号公報
【発明の開示】
【発明が解決しようとする課題】
【０００４】
本願発明者らは、上記従来例においては、吸音材などの微小な繊維が画像形成装置内で浮遊し、記録媒体に転写される画像の画質が低下するという問題があることを発見した。
【０００５】
例えば画像形成装置内に設けられた繊維状の吸音部材などが炭素を含んでいると、微小な炭素を含んだ繊維が画像形成装置内で浮遊する。画像形成装置内において、例えば所定の電位にされた中間転写ベルト１の近傍を炭素を含んだ繊維が浮遊すると、図９に示すように炭素を含んだ繊維が中間転写ベルト１から突出するように立上がった状態で中間転写ベルト１に付着し易い。このように中間転写ベルト１に付着した炭素を含んだ繊維は、中間転写ベルト１がベルト張架ロール２，３に沿って回転する場合に、一次転写ロール４近傍で感光体５に突き刺さり、感光体５の表面の光導電層を突き破ることが本願発明者らによって確認された。
【０００６】
感光体５の光導電層は、炭素を含んだ繊維が突き破った部分が復帰不可能な損傷となり、画質に欠陥を発生させてしまう。また、吸音部材から繊維の遊離を防止するために、吸音部材を通気性のある布製の吸音部材カバーで覆う場合にも、吸音部材カバーの繊維が炭素を含む顔料により黒色に着色されていると、画像形成装置内の遮光効果を維持しつつ画像形成装置から騒音が漏れ出ないようにすることはできても吸音部材カバーから炭素を含んだ繊維が遊離し、同様の問題が生じてしまう。
【０００７】
さらに、画像形成装置内で浮遊する炭素を含んだ繊維は、単に感光体５又は中間転写ベルト１などに付着するだけでも画質低下の原因になる。例えば、感光体５又は中間転写ベルト１それぞれにおいて、クリーニングされた後から転写をするまでに炭素を含んだ繊維が付着すると、画質に欠陥を発生させてしまう。
【０００８】
本発明の目的は、画質を低下させることなく、騒音を低減することができる画像形成装置を提供することにある。
【課題を解決するための手段】
【０００９】
上記目的を達成するため、本発明の第１の特徴とするところは、帯電した現像剤像を担持する像担持体と、この像担持体を収容する画像形成装置本体とを具備する画像形成装置であって、前記画像形成装置本体内のノイズ源を前記画像形成装置本体外側に対して遮蔽する吸音部を有し、前記吸音部は、染料によって暗色に染められている画像形成装置にある。したがって、画像形成装置内の迷光の拡散を抑えつつ、画像形成装置本体内のノイズ源を画像形成装置本体外側に対して遮蔽することができるので、迷光により画質を低下させることなく、騒音を低減することができる。
【００１０】
なお、像担持体は、中間転写ベルトなどの中間転写体を含む。
【００１１】
また、本発明の第２の特徴とするところは、帯電した現像剤像を担持する像担持体と、この像担持体を収容する画像形成装置本体とを具備する画像形成装置であって、前記画像形成装置本体内のノイズ源を前記画像形成装置本体外側に対して遮蔽する吸音部材と、この吸音部材を覆う吸音部材カバーとを有し、前記吸音部材カバーは、染料によって暗色に染められている画像形成装置にある。したがって、上記同様に迷光により画質を低下させることなく、騒音を低減することができる。
【００１２】
また、本発明の第３の特徴とするところは、帯電した現像剤像を担持する像担持体と、この像担持体を収容する画像形成装置本体とを具備する画像形成装置であって、前記画像形成装置本体内のノイズ源を前記画像形成装置本体外側に対して遮蔽する繊維状の吸音部材と、この吸音部材を覆う布状の吸音部材カバーとを有し、前記吸音部材カバーは、炭素を含まない染料によって暗色に染められている画像形成装置にある。したがって、炭素を含んだ繊維が像担持体などに静電力によって付着することを防止することができ、形成される画像の画質が低下することを防止することができるとともに、画像形成装置内の遮光効果を維持しつつ、画像形成装置本体内のノイズ源を画像形成装置本体外側に対して遮蔽することができるので、画質を低下させることなく、騒音を低減することができる。
【００１３】
好適には、前記染料は、炭素繊維を含まない。したがって、静電力を利用した画像形成装置内に炭素を含んだ繊維が浮遊することを防止することができるので、炭素を含んだ繊維が像担持体などに静電力によって付着することを防止することができ、形成される画像の画質が低下することを防止することができる。
【００１４】
また、好適には、前記吸音部又は前記吸音部材カバーは、黒色に染められている。したがって、吸音部又は吸音部材カバーの明度が低いので、吸音部又は吸音部材カバーによる遮光効果を高くすることができる。また、現像剤による画像形成装置内の汚れを目立たなくすることができると共に、使用頻度が高い白色などの明色の記録媒体を画像形成装置内で目立たせることができるので、画像形成装置内に詰った記録媒体を取り除く場合などの操作性をよくすることができる。
【００１５】
また、好適には、前記吸音部又は、前記吸音部材及び前記吸音部材カバーは、記録媒体を搬送する搬送路に臨む開閉ドアの内側に設けられている。また、好適には、前記開閉ドアは、ガイド部材を介して前記搬送路に臨んでいる。したがって、画像形成装置本体内のノイズ源を画像形成装置本体外側に対して遮蔽することができるように、前記吸音部又は、吸音部材及び吸音部材カバーを容易に配設することができる。
【００１６】
また、好適には、前記吸音部又は、前記吸音部材及び前記吸音部材カバーは、前記画像形成装置本体と前記ガイド部材との間に形成された空隙を覆うように設けられている。したがって、画像形成装置本体内のノイズ源を画像形成装置本体外側に対して効率的に遮蔽することができる。
【発明の効果】
【００１７】
本発明によれば、画質を低下させることなく、騒音を低減することができる。
【発明を実施するための最良の形態】
【００１８】
次に本発明の実施形態を図面に基づいて説明する。
図１及び図２において、本発明の実施形態に係る画像形成装置１０の概要が示されている。
画像形成装置１０は、画像形成装置本体１２を有し、この画像形成装置本体１２の上部には、回動支点１４を中心に回動自在の第１の開閉ドア１６が設けられている。また、画像形成装置本体１２の背面側（図１において右側）には、第２の開閉ドア１８が設けられており、この第２の開閉ドア１８は、後述するガイド部材２０の背面側に設けられ、ガイド部材２０の回動支点２１を軸としてガイド部材２０と共に画像形成装置本体１２に対して回動自在にされている。
【００１９】
画像形成装置本体１２の下部には、例えば１段の記録媒体供給ユニット２２が配置されている。記録媒体供給ユニット２２は、記録媒体供給ユニット本体２３と、記録媒体が収納される記録媒体供給カセット２４とを有する。記録媒体供給カセット２４の奥端近傍上部には、記録媒体供給カセット２４から記録媒体を供給するフィードロール２５、及び、供給される記録媒体を１枚ずつ捌くリタードロール２６が配置されている。リタードロール２６の近傍には、記録媒体を案内する可動部材２７が回動自在に設けられている。
【００２０】
搬送路２８は、画像形成装置本体１２の背面側から画像形成装置本体１２内側に向けて複数のリブが設けられたガイド部材２０などによって形成されたフィードロール２５から排出口３０までの記録媒体通路である。この搬送路２８は、記録媒体供給ユニット２２から後述する定着装置９０まで略垂直に形成されている。ガイド部材２０は、下部に回動支点２１が設けられており、この回動支点２１を軸として、回動自在にされている。搬送路２８の定着装置９０の上流側に後述する二次転写ロール８０と二次転写バックアップロール７２とが配置され、二次転写ロール８０と二次転写バックアップロール７２の上流側にレジストロール３１が配置されている。このレジストロール３１と、フィードロール２５及びリタードロール２６との間には、搬送ロール３２が設けられている。また、搬送路２８の排出口３０の近傍には排出ロール３４が配置されている。
【００２１】
したがって、記録媒体供給ユニット２２の記録媒体供給カセット２４からフィードロール２５により送り出された記録媒体は、リタードロール２６により捌かれて最上部の記録媒体のみ搬送路２８に導かれ、搬送ロール３２の間を通ってレジストロール３１により一時停止され、タイミングをとって後述する二次転写ロール８０と二次転写バックアップロール７２との間を通って現像剤像が転写され、この転写された現像剤像が定着装置９０により定着され、排出ロール３４により排出口３０から第１の開閉ドア１６の上部に設けられた排出部３６へ排出される。この排出部３６は、排出口部分が低く、正面方向（図１の左方向）に向けて徐々に高くなるよう傾斜している。
【００２２】
画像形成装置本体１２には、例えば略中央部にロータリ現像器３８が配置されている。ロータリ現像器３８は、現像器本体４０内にイエロー（Ｙｅｌｌｏｗ）、マゼンタ（Ｍａｇｅｎｔａ）、シアン（Ｃｙａｎ）及び黒（Ｂｌａｃｋ）の４色の現像剤像をそれぞれ形成する現像器４２ａ〜４２ｄを有し、ロータリ現像器中心４４を中心として左回り（図１において反時計回り）に回転する。現像器４２ａ〜４２ｄそれぞれは、現像ロール４６ａ〜４６ｄを有し、例えばコイルスプリングなどの弾性体４８ａ〜４８ｄにより、現像器本体４０の法線方向に押圧されている。つまり、現像器４２ａ〜４２ｄの現像ロール４６ａ〜４６ｄは、ロータリ現像器中心４４を中心として、それぞれ９０°の間隔で現像器本体４０の外周に配置され、後述する像担持体５０に当接して像担持体５０上の静電潜像をそれぞれの色の現像剤で可視化する。
【００２３】
ロータリ現像装置３８には、像担持体５０が当接するように配置されている。像担持体５０は、例えば管状のアルミパイプからなり、表面に光導電層が形成されている。この光導電層により、像担持体５０は、レーザ光などの光線によって形成される静電潜像、及び現像剤で可視化される現像剤像を担持する。
【００２４】
像担持体５０の下方には、該像担持体５０を一様帯電する例えば帯電ロールからなる帯電装置５２が設けられている。また、像担持体５０には、該像担持体５０の回転方向の帯電装置５２よりも上流側に像担持体用クリーナ５４が当接している。像担持体用クリーナ５４は、例えば一次転写後に像担持体５０に残留する現像剤を掻き取るクリーニングブレード５６と、クリーニングブレード５６が掻き取った現像剤を回収する現像剤回収ボトル５８とから構成される。
なお、現像剤回収ボトル５８の背面側（図１において右側）は、例えばリブなどが形成され、記録媒体が滑らかに搬送されるように曲面にされて搬送路２８の一部を形成している。
【００２５】
ロータリ現像装置３８の下方には、帯電装置５２により帯電された像担持体５０に、レーザ光などの光線により潜像を書き込む露光装置６０が配置されている。また、ロータリ現像装置３８の上方には、ロータリ現像装置３８によって可視化された現像剤像を一次転写位置で一次転写され、後述する二次転写位置まで搬送する中間転写装置６２が設けられている。
【００２６】
中間転写装置６２は、例えば中間転写ベルトなどの中間転写体６４、一次転写ロール６６、ラップインロール６８、ラップアウトロール７０、二次転写バックアップロール７２、スクレーパバックアップロール７４及びブラシバックアップロール７６から構成される。中間転写体６４は、例えば弾性を有し、ロータリ現像装置３８の上方で長辺と短辺とを有するように略扁平に張られている。中間転写体６４の上面側の長辺は、例えば画像形成装置本体１２の上部に設けられた排出部３６に対して略平行となるように張られている。また、中間転写体６４は、該中間転写体６４の長辺下方で一次転写ロール６６の上流に配置されたラップインロール６８と、一次転写ロール６６の下流に配置されたラップアウトロール７０との間で像担持体５０にラップ状に当接する一次転写部（像担持体ラップ領域）を有し、像担持体５０に所定の範囲だけ巻きついて、像担持体５０の回転に従動する。このように、中間転写体６４は、一次転写ロール６６によって像担持体５０上の現像剤像を例えばイエロー、マゼンタ、シアン、黒の順に重ねて一次転写され、この一次転写された現像剤像を後述する二次転写ロール８０に向けて搬送する。
なお、ラップインロール６８及びラップアウトロール７０は、像担持体５０から離間している。
【００２７】
さらに、中間転写体６４の裏側（図１の右側面）には、ラップアウトロール７０及び二次転写バックアップロール７２により、平面部（短辺）が形成されており、この平面部が二次転写部となって搬送路２８に臨むようにされている。
なお、二次転写部において、中間転写体６４と搬送路２８との間が、例えば１２°の角度になるように、ラップアウトロール７０は配置されている。
【００２８】
スクレーパバックアップロール７４は、二次転写後に中間転写体６４に残留する現像剤を後述するスクレーパ８４が掻き取ることを補助し、ブラシバックアップロール７６は、二次転写後に中間転写体６４に残留する現像剤を後述するブラシロール８６が掻き取ることを補助する。
【００２９】
中間転写体６４の長辺上方には、例えば反射型フォトセンサなどのセンサ７８が第１の開閉ドア１６の裏面（内側）に固定されることによって設けられている。センサ７８は、中間転写体６４上に形成された現像剤のパッチを読取り、中間転写体６４の回転方向における位置を検出するとともに、現像剤の濃度検知を行う。
【００３０】
中間転写装置６２の二次転写バックアップロール７２には、搬送路２８を挟んで二次転写ロール８０が対峙している。つまり、二次転写ロール８０と二次転写バックアップロール７２との間が二次転写部における二次転写位置となっており、二次転写ロール８０は、二次転写バックアップロール７２の補助により、中間転写体６４に一次転写された現像剤像を二次転写位置で記録媒体に二次転写する。ここで、二次転写ロール８０は、中間転写体６４が３回転する間、すなわちイエロー、マゼンタ、シアンの３色の現像剤像を搬送する間は中間転写体６４から離間しており、黒の現像剤像が転写されると中間転写体６４に当接するようにされている。なお、二次転写ロール８０は、二次転写位置で露出するように二次転写ロール収容部８１内に収容されており、この二次転写ロール収容部８１は、画像形成装置本体１２に固定されている。
【００３１】
なお、二次転写ロール８０と二次転写バックアップロール７２との間には、所定の電位差が生じるようにされており、例えば二次転写ロール８０を高電圧にした場合には、二次転写バックアップロール７２はグランド（ＧＮＤ）などに接続される。つまり、中間転写体６４は、二次転写ロール８０と二次転写バックアップロール７２との間で所定の電位にされている。
【００３２】
中間転写体６４の反像担持体側端には、中間転写体用クリーナ８２が当接するように設けられている。中間転写体用クリーナ８２は、例えば二次転写後に中間転写体６４に残留する現像剤を掻き取ってクリーニングするスクレーパ８４、スクレーパ８４によるクリーニング後に残った現像剤をさらに掻き取るブラシロール８６、スクレーパ８４及びブラシロール８６によって掻き取られた現像剤を回収する現像剤回収ボトル８８から構成される。スクレーパ８４は、例えばステンレスの薄板からなり、現像剤とは逆極性の電圧がかけられている。ブラシロール８６は、例えば導電性の処理がなされたアクリルなどのブラシからなる。また、中間転写体６４が現像剤像を搬送する間は、スクレーパ８４及びブラシロール８６は、中間転写体６４から離間しており、所定のタイミングでこれらが一体となって中間転写体６４に当接するようにされている。
【００３３】
二次転写位置の上方には、定着装置９０が配置されている。定着装置９０は、加熱ロール９２と加圧ロール９４とを有し、二次転写ロール８０及び二次転写バックアップロール７２により記録媒体に二次転写された現像剤像を記録媒体に定着させ、排出ロール３４に向けて搬送する。
【００３４】
像形成ユニット９６は、中間転写装置６２、像担持体５０、帯電装置５２、像担持体用クリーナ５４及び中間転写体用クリーナ８２を一体化したものである。この像形成ユニット９６は、第１の開閉ドア１６の排出部３６の直近下方に配置され、画像形成装置本体１２に対して着脱自在となっており、第１の開閉ドア１６を開くことにより着脱される。
【００３５】
また、画像形成装置１０の内部には、画像形成装置１０を構成する各部を制御する制御部９８が設けられている。
【００３６】
次に、ガイド部材２０及びその周辺について詳述する。
図３乃至図５において、ガイド部材２０及びその周辺の詳細が示されている。
ガイド部材２０は、板状の本体部１００を有し、この本体部１００には、画像形成装置本体１２内に向けて突出する多数のリブ１０２が形成されている。本体部１００の背面には、第２の開閉ドア１８が取り付けられるようになっている。また、ガイド部材２０は、下端側に設けられた回動支点２１を軸として回動する。リブ１０２それぞれの下方には、可動部材２７が摺接する摺接部１０４が形成されている。
【００３７】
可動部材２７は、リタードロール２６を回転自在に保持する保持部材１０６の端部に設けられた支軸１０８に対し、図示しない接続部材を介して揺動自在に支持されている。また、可動部材２７の上面側には、記録媒体を搬送ロール３２に向けて案内する複数のリブ１０９が形成されている。リブ１０９は、ガイド部材２０に設けられたリブ１０２と共に、搬送路２８の一部を構成する。また、可動部材２７は、ガイド部材２０が画像形成装置本体１２の背面側に開かれると、ガイド部材２０の摺接部１０４に摺接しつつ搬送路２８を開放するようにされている。
【００３８】
したがって、ガイド部材２０が閉じられている場合、フィードロール２５により送り出された記録媒体は、可動部材２７のリブ１０９によって搬送ロール３２に案内され、搬送ロール３２を通ってガイド部材２０のリブ１０２によってレジストロール３１に案内される。
【００３９】
次に、ガイド部材２０に取り付けられる第２の開閉ドア１８について詳述する。
図６において、第２の開閉ドア１８を分解した状態が示されている。第２の開閉ドア１８は、第２の開閉ドア本体１１０、吸音部材１１２及び吸音部材カバー１１４を有する。
第２の開閉ドア本体１１０は、例えば把手部１１６、係合部１１８ａ，１１８ｂ及び弾性爪１２０ａ，１２０ｂが設けられた略四角形の樹脂製の板状部材である。把手部１１６は、第２の開閉ドア本体１１０の略中央上部に設けられた開口部１２２、及び、画像形成装置本体１２内側に突出する突出部１２４から構成され、ユーザが開口部１２２に手を入れて握ることができるようにされている。第２の開閉ドア１８は、係合部１１８ａ，１１８ｂそれぞれがガイド部材２０の背面側下部に設けられた受け部（図示せず）に係合し、弾性爪１２０ａ，１２０ｂがガイド部材２０の背面側両側方に設けられた孔部（図示せず）に係合することにより、ガイド部材２０の背面に取り付けられるようになっている。つまり、第２の開閉ドア１８は、ガイド部材２０を介して搬送路２８に臨んでいる。
なお、第２の開閉ドア本体１１０の上側及び両側方、並びに把手部１１６の上側及び両側方には、第２の開閉ドア本体１１０、吸音部材１１２及び吸音部材カバー１１４が一体になるように固定するための固定用領域１２５ａ，１２５ｂがそれぞれ設けられている。
【００４０】
吸音部材１１２は、例えばシンサレート（登録商標）等の繊維状の吸音部材であり、把手部１１６、係合部１１８ａ，１１８ｂ及び弾性爪１２０ａ，１２０ｂそれぞれが貫通する穴部１２６，１２８ａ，１２８ｂ，１３０ａ，１３０ｂを除いて第２の開閉ドア本体１１０のガイド部材２０側の略全面を覆うことができるようにされている。
【００４１】
吸音部材カバー１１４は、把手部１１６、係合部１１８ａ，１１８ｂ及び弾性爪１２０ａ，１２０ｂそれぞれが貫通する穴部１３２，１３４ａ，１３４ｂ，１３６ａ，１３６ｂを除いて吸音部材１１２のガイド部材２０側の略全面を覆うことができるようにされた布材である。この吸音部材カバー１１４は、例えば黒色などの暗色に染められ、帯電防止加工されたポリエステル繊維、ナイロン繊維又はＰＥＴ（ポリエチレンテレフタレート）繊維からなり、通気性を有する。また、吸音部材カバー１１４は、炭素を含まない染料によって黒色などの暗色に染められることにより、画像形成装置内の遮光効果を維持しつつ、炭素繊維を画像形成装置１０内に浮遊させないようにされている。
また、吸音部材カバー１１４の上側及び両側方、並びに穴部１３２の上側及び両側方には、第２の開閉ドア本体１１０、吸音部材１１２及び吸音部材カバー１１４が一体になるように固定するための固定用領域１３８ａ，１３８ｂがそれぞれ設けられている。
【００４２】
つまり、第２の開閉ドア１８は、第２の開閉ドア本体１１０のガイド部材２０側に吸音部材１１２及び吸音部材カバー１１４が順に重ねられ、第２の開閉ドア本体１１０の固定用領域１２５ａ，１２５ｂと吸音部材カバー１１４の固定用領域１３８ａ，１３８ｂとが吸音部材１１２を挟んで例えば圧接部材（図示せず）によって圧接されることにより、第２の開閉ドア本体１１０、吸音部材１１２及び吸音部材カバー１１４が一体化されたものである。
また、第２の開閉ドア１８は、第２の開閉ドア本体１１０、吸音部材１１２及び吸音部材カバー１１４が一体化された状態で突出部１２４、係合部１１８ａ，１１８ｂ及び弾性爪１２０ａ，１２０ｂがガイド部材２０側に突出している。第２の開閉ドア本体１１０の係合部１１８ａ，１１８ｂ及び弾性爪１２０ａ，１２０ｂそれぞれがガイド部材２０の背面に係合することにより、第２の開閉ドア本体１１０は、吸音部材１１２及び吸音部材カバー１１４を介してガイド部材２０の背面に密着し、取り付けられるようになっている。
【００４３】
なお、炭素（又は炭素繊維）を含まない染料によって例えば黒色などの暗色に染められ、画像形成装置１０内のノイズを吸音することができる吸音部材（吸音部）を、吸音部材１１２及び吸音部材カバー１１４に代えて第２の開閉ドア本体１１０に固定することにより、第２の開閉ドア１８が構成されてもよい。
【００４４】
図７において、第２の開閉ドア本体１１０に取り付けられた吸音部材１１２の配置が示されている。また、図８において、画像形成装置本体１２とガイド部材２０との間に形成された空隙が示されている。
記録媒体が搬送路２８を通る時には、記録媒体が搬送路２８を構成する部材に摺接するので、摺擦音が発生する。特に、レジストロール３１及び搬送ロール３２近傍では、レジストロール３１及び搬送ロール３２に記録媒体が当接した後に記録媒体が搬送されるので、記録媒体を搬送する時に騒音が発生する。
【００４５】
一方、ユーザは、第２の開閉ドア１８の把手部１１６を握ることにより、第２の開閉ドア１８をガイド部材２０と共に回動支点２１を軸として回動させ、搬送路２８を開放することができる。つまり、ガイド部材２０が第２の開閉ドア１８と共に開閉可能にされているので、搬送路２８に記録媒体が詰った場合などに、ユーザはガイド部材２０を開くことにより、搬送路２８に詰った記録媒体を取り除くことができる。ここで、搬送路２８の一部を形成するガイド部材２０が開閉するので、画像形成装置本体１２とガイド部材２０の周囲との間には空隙１４０がある。
【００４６】
上述したように、吸音部材１１２は、第２の開閉ドア本体１１０のガイド部材２０側の略全面を覆っている。第２の開閉ドア１８は、ガイド部材２０の背面に取り付けられることにより、レジストロール３１及び搬送ロール３２の背面側（図７において右側）を含む搬送路２８の背面側に配置されるようになっている。また、第２の開閉ドア本体１１０の吸音部材１１２に覆われた面は、空隙１４０に囲まれる領域よりも大きくされており、ガイド部材２０が第２の開閉ドア１８と共に閉じられることにより、吸音部材１１２が吸音部材カバー１１４を介して空隙１４０を覆って密閉するようにされている。
【００４７】
このように、吸音部材１１２は、搬送路２８の背面側を覆うと共に、空隙１４０を密閉するので、記録媒体が搬送路２８を通る時に発生する摺擦音などを遮蔽することができ、画像形成装置１０の背面側に騒音が漏れ出ないようにしている。
なお、ガイド部材２０の本体部１００の背面側に吸音部材を設け、この吸音部材を吸音部材カバーで覆うことにより、画像形成装置１０の背面側に騒音が漏れ出ないようにしてもよい。
【図面の簡単な説明】
【００４８】
【図１】本発明の実施形態に係る画像形成装置の概要を示す側面図である。
【図２】本発明の実施形態に係る画像形成装置の外観を示す斜視図である。
【図３】ガイド部材に第２の開閉ドアが取り付けられた状態を示す斜視図である。
【図４】ガイド部材に第２の開閉ドアが取り付けられた状態を搬送路側からみた正面図である。
【図５】ガイド部材の回動支点近傍及びその周辺の詳細を示す斜視図である。
【図６】第２の開閉ドアを示す分解斜視図である。
【図７】第２の開閉ドア本体に取り付けられた吸音部材の配置を示す拡大側面図である。
【図８】画像形成装置本体とガイド部材との間の空隙を示す斜視図である。
【図９】画像形成装置の比較例における像担持体近傍の拡大図である。
【符号の説明】
【００４９】
１０    画像形成装置
１２    画像形成装置本体
１８    第２の開閉ドア
２０    ガイド部材
２１    回動支点
２８    搬送路
３１    レジストロール
３２    搬送ロール
３８    ロータリ現像器
５０    像担持体
６０    露光装置
６４    中間転写体
６６    一次転写ロール
６８    ラップインロール
７０    ラップアウトロール
７２    二次転写バックアップロール
８０    二次転写ロール
１１０    第２の開閉ドア本体
１１２    吸音部材
１１４    吸音部材カバー
１１８ａ，１１８ｂ    係合部
１２０ａ，１２０ｂ    弾性爪
１４０    空隙
【図１】
2006047569.tif 000003
【図２】
2006047569.tif 000004
【図３】
2006047569.tif 000005
【図４】
2006047569.tif 000006
【図５】
2006047569.tif 000007
【図６】
2006047569.tif 000008
【図７】
2006047569.tif 000009
【図８】
2006047569.tif 000010
【図９】
2006047569.tif 000011